(57)【要約】【課題】  設置状態の制約を受けることなく使用可能なデジタルフォトフレームを提供する。【解決手段】  画像を表示する表示部を有し映像の出力を行うデジタルフォトフレーム２であって、筐体４と、開閉可能に設けられ、閉状態において前記筐体に収納可能であり開状態において前記筐体を支持する支持部材３３と、クレードルと接続可能に設けられた接続部とを備える。【選択図】  図２
2010243724.tif 000002
【特許請求の範囲】
【請求項１】
画像を表示する表示部を有し映像の出力を行うデジタルフォトフレームであって、
筐体と、
開閉可能に設けられ、閉状態において前記筐体に収納可能であり開状態において前記筐体を支持する支持部材と、
クレードルと接続可能に設けられた接続部と
を備えることを特徴とするデジタルフォトフレーム。
【請求項２】
前記支持部材は、前記筐体と前記クレードルとが接続された場合には閉状態となるように構成されることを特徴とする請求項１記載のデジタルフォトフレーム。
【請求項３】
前記支持部材の開閉状態を検出する開閉検出部と
前記開閉検出部の検出結果に応じて前記映像の出力態様を異ならせる出力制御部と
を備えることを特徴とする請求項１または２記載のデジタルフォトフレーム。
【請求項４】
前記クレードルに接続されているか否かを検出する接続検出部と、
前記接続検出部の検出結果に応じて前記映像の出力態様を異ならせる出力制御部と
を備えることを特徴とする請求項１〜３の何れか一項に記載のデジタルフォトフレーム。
【請求項５】
前記支持部材の開閉状態を検出する開閉検出部と
前記クレードルに接続されているか否かを検出する接続検出部と、
前記開閉検出部により開状態であることが検出された場合及び前記接続検出部により接続されていることを検出した場合には前記映像を第１出力態様とし、前記開閉検出部により閉状態であることを検出し、かつ、前記接続検出部により非接続であることを検出した場合には前記映像を第２出力態様として出力する出力制御部と、
を備えることを特徴とする請求項１または２に記載のデジタルフォトフレーム。
【発明の詳細な説明】
【技術分野】
【０００１】
本発明は、デジタルフォトフレームに関するものである。
【背景技術】
【０００２】
メモリカードに記憶されている画像データを読み出し表示部に表示するデジタルフォトフレームが知られている（例えば、特許文献１参照）。このデジタルフォトフレームにおいては、デジタルフォトフレームを台座に立て掛けた際の姿勢である縦姿勢及び横姿勢に応じて表示部に表示する画像を回転させている。
【先行技術文献】
【特許文献】
【０００３】
【特許文献１】特開２００１−６７００４号公報
【発明の概要】
【発明が解決しようとする課題】
【０００４】
ところで、このデジタルフォトフレームにおいては台座に立て掛けた状態での使用しかできないため、設置場所が制約され所望の場所に設置できない場合があった。
【０００５】
本発明の目的は、設置状態の制約を受けることなく使用可能なデジタルフォトフレームを提供することである。
【課題を解決するための手段】
【０００６】
本発明のデジタルフォトフレームは、画像を表示する表示部を有し映像の出力を行うデジタルフォトフレームであって、筐体と、開閉可能に設けられ、閉状態において前記筐体に収納可能であり開状態において前記筐体を支持する支持部材と、クレードルと接続可能に設けられた接続部とを備えることを特徴とする。
【発明の効果】
【０００７】
本発明のデジタルフォトフレームによれば、設置状態が制約されないため所望の場所に設置しまたは手持ち状態で画像を鑑賞することができる。
【図面の簡単な説明】
【０００８】
【図１】本発明の第１の実施の形態に係るＤＰＦの外観を示す斜視図である。
【図２】本発明の第１の実施の形態に係るＤＰＦの背面を示す図である。
【図３】本発明の第１の実施の形態に係るＤＰＦのシステム構成を示すブロック図である。
【図４】本発明の第２の実施の形態に係るＤＰＦの背面を示す図である。
【発明を実施するための形態】
【０００９】
以下、図面を参照して本発明の第１の実施の形態に係るデジタルフォトフレーム（以下、ＤＰＦという。）について説明する。なお、本実施の形態において、「映像」には画像のみならず音声も含み、動画だけでなく例えば、画像と当該画像に対応するメッセージ等の音声や音楽との組合せも含むものとする。図１は、実施の形態に係るＤＰＦの外観を示す斜視図である。ＤＰＦ２は筐体４を備え、筐体４はクレードル６に対して着脱可能に載置することができる。また、図１における筐体４の底面をクレードル６に接続させる横姿勢及び筐体４の側面をクレードル６に接続させる縦姿勢での載置が可能である。なお、図１においては筐体４がクレードル６から外された状態を示している。
【００１０】
また、筐体４の前面には画像や時刻等の情報を電気的に表示するＬＣＤ表示部８、音楽や音声を出力するスピーカ１０、本体の外部の明るさを検出する測光センサ１２が設けられ、上面にはＤＰＦ２の電源のオン／オフ状態を切り替える電源スイッチ１４及びＤＰＦ２の機能設定やＬＣＤ表示部８の表示設定の際に使用する操作キー１６が設けられている。また、筐体４の側面には、画像や音楽等のデータが記憶されたメモリカードを挿入するメモリカードスロット１８、ＵＳＢ機器が接続されるＵＳＢポート１９が設けられている。また、クレードル６の接点２８を介して電源の供給を受ける横姿勢接点２０及び縦姿勢接点２２が筐体４の側面及び底面にそれぞれ設けられている。また、筐体４には、クレードル６を介して画像や音楽等のデータの送受信を行う通信部２４（図２参照）も内蔵されている。
【００１１】
クレードル６には、外部の商用電源から電源を得るＡＣアダプタ２６が接続され、接点２８を介してＤＰＦ２に電源を供給する。また、クレードル６にはＬＡＮケーブルが接続されるネットワーク端子２９が設けられ、内部にはネットワーク端子２９を介した有線によるＬＡＮ通信または無線ＬＡＮアクセスポイントを介した無線ＬＡＮ通信を行うＬＡＮモジュール３０（図３参照）、ＬＡＮモジュール３０と筐体４に設けられた通信部２４との中継を行う中継部３２（図３参照）が設けられている。
【００１２】
図２は、第１の実施の形態に係るＤＰＦの背面を示す図である。筐体４の背面には開状態において筐体４を支持する支持部材３３が開閉可能に設けられている。また、支持部材３３は閉状態において凹部３５に収納可能となっている。なお、ＤＰＦ２がクレードル６に載置される際に支持部材３３が開状態である場合でもクレードル６側から押圧されることにより支持部材３３が閉状態となるように構成されている。また開状態において支持部材３３が筐体４方向へ押圧された場合に閉状態となるようにばね等により付勢する構成としてもよい。
【００１３】
図３は、第１の実施の形態に係るＤＰＦのシステム構成を示すブロック図である。ＤＰＦ２は、ＣＰＵ３４を備え、ＣＰＵ３４にはＬＣＤ表示部８に表示される画像や情報、表示される画像等の表示輝度、色や階調等の表示制御を行う表示制御部３６、スピーカ１０から出力される音楽や音声の再生を行う再生制御部３８、表示制御部３６または再生制御部３８により出力する映像を一時的に記憶するバッファメモリ４０、ＪＰＥＧ方式で圧縮された画像データを再生可能に伸長するＪＰＥＧデコーダ、ＭＰＥＧ方式で圧縮された動画（映像）のデータを再生可能に伸長するＭＰＥＧデコーダ等を含むデコーダ４２、横位置接点２０または縦位置接点２２を介してクレードル６から電源の供給を受けＤＰＦ２の電源の制御を行う電源制御部４４、横位置接点２０及び縦位置接点２２を介して筐体４がクレードル６に載置されているか、クレードル６から外されているかを検出する接続検出部４６、支持部材３３の開閉状態を凹部３５に設けられたスイッチまたはセンサ等により検出する開閉検出部４７、操作キー１６により入力された映像の出力条件を設定する出力条件設定部４８、ＤＰＦ２の機能の設定や日時を表す情報画像を含む画像や音楽等のデータを記憶する内部メモリ５０、測光センサ１２、電源スイッチ１４、操作キー１６、メモリカードスロット１８、ＵＳＢポート１９、通信部２４が接続されている。
【００１４】
また、電源制御部４４には、筐体４がクレードル６から外された場合にＣＰＵ３４を介してＤＰＦ２に電源を供給するバッテリ５２が接続されている。なお、筐体４がクレードル６に載置されている場合にはＣＰＵ３４を介してＤＰＦ２に電源を供給する他、バッテリ５２の充電を行ってもよい。
【００１５】
また、クレードル６はサブＣＰＵ５４を備え、サブＣＰＵ５４にはＬＡＮモジュール３０、中継部３２及び電源を供給する電源制御部５５が接続され、ＬＡＮモジュール３０にはネットワーク端子２９が接続されている。また、クレードル６には接点２８が設けられ、電源制御部５５及び電源コネクタ５６を介してＡＣアダプタ２６と接続されている。
【００１６】
次に、図面を参照して実施の形態に係るＤＰＦの使用状態について説明する。ＤＰＦ２がクレードル６に載置されている状態を第１状態とし、図１に示すようにクレードル６から外された状態を第２状態とする。なお、第１状態においては支持部材３３が閉状態となる。また、図２に示すように第２状態において手動により支持部材３３を開いた状態を第３状態とする。第１状態及び第３状態においては机等の載置面に設置した据え置き状態でＬＣＤ表示部８に表示された画像を鑑賞することができる。また、第２状態においては鑑賞者がＤＰＦ２を手に持って鑑賞を行う（手持ち状態）。従って、第１状態及び第３状態である場合には表示制御部３６及び再生制御部３８は据え置き状態に対応した出力制御を行い、第２状態である場合には手持ち状態に対応した出力制御を行う。
【００１７】
ここで、接続検出部４６によりクレードル６と接続されていることを検出した場合には第１状態であると判断する。また、接続検出部４６によりクレードル６から外されていることを検出した場合において、開閉検出部４７により支持部材３３が閉状態であることを検出した場合には第２状態であると判断し、支持部材３３が開状態であることを検出した場合には第３状態であると判断する。
【００１８】
据え置き状態及び手持ち状態のそれぞれにおいて表示制御部３６及び再生制御部３８は、映像の出力態様として例えば表示態様、表示輝度、色・階調、音声出力、出力制限を異ならせることにより、据え置き状態及び手持ち状態に対応した出力制御を行う。
【００１９】
即ち、表示態様を異ならせる場合には、表示制御部３６は、ＬＣＤ表示部８に表示する画像を据え置き状態では１枚の画像を例えば１時間や１日等長時間表示する固定表示モードとし、手持ち状態においては数分以下の時間で画像を切り替えるスライドショーモードとする。また、据え置き状態では上述の固定表示モードとし、手持ち状態では複数の画像を縮小して１画面に表示するサムネイル表示モードとしてもよい。また、据え置き状態及び手持ち状態の何れにおいてもスライドショーモードが設定されている場合には画像の切り替え速度を異ならせてもよいし、据え置き状態から手持ち状態に移行した場合にスライドショーを数枚前等所定枚数前から再実行してもよい。
【００２０】
また、据え置き状態においてカレンダーや時刻等の情報表示を付加して表示し、手持ち状態においては情報表示を行わないようにしてもよい。このとき情報表示は、フルスクリーンで表示してもよいし、縮小して画面の一部に表示してもよい。
【００２１】
また、音声出力を異ならせる場合、再生制御部３８は、スピーカ１０から出力する音声について据え置き状態においては音声の出力を行わず、手持ち状態においては音声の出力を行う。なお、据え置き状態であるか手持ち状態であるかに関わらず音声の出力を行ってもよく、この場合には据え置き状態における音量を手持ち状態における音量よりも大きくする等、据え置き状態と手持ち状態において出力する音声の音量を異ならせるようにしてもよい。
【００２２】
また、ＬＣＤ表示部８の表示輝度を異ならせる場合、表示制御部３６は、据え置き状態において測光センサ１２により測定された外部の明るさに応じて随時ＬＣＤ表示部８の表示輝度を変化させ、手持ち状態においては手に持った際の角度により外部の明るさが頻繁に変化するおそれがあるため、外部の明るさに関わらず表示輝度を一定とする。
【００２３】
また、ＬＣＤ表示部８に表示される画像の色・階調を異ならせる場合、表示制御部３６は、据え置き状態においては遠くから見た場合を考慮して彩度を高めとし、コントラストを高めに表示する制御を行い、手持ち状態においては近くで見ると考えられるため彩度やコントラストを高めに表示する制御は行わない。
【００２４】
また、ＬＣＤ表示部８への映像の出力制限を異ならせる場合、据え置き状態においては据え置き状態の場合のみに表示可能である画像及び据え置き状態であるか手持ち状態であるかに関わらず表示可能である画像を表示し、手持ち状態においては手持ち状態の場合のみに表示可能である画像及び据え置き状態であるか手持ち状態であるかに関わらず表示可能である画像を表示する。なお、この場合には、内部メモリ５０またはメモリカードスロット１８に挿入されたメモリカードに記憶された各画像に対して据え置き状態の場合にのみに表示可能である画像、手持ち状態の場合にのみ表示可能である画像、何れの状態においても表示可能である画像である旨の設定をすることができるように構成する。
【００２５】
また、手持ち状態における鑑賞日時が例えば誕生日等の設定された日の前後１週間程度である場合には、前年以前の誕生日の前後に撮影された画像を表示する特定画像表示モードとして画像を出力してもよい。また、ネットワークサーバ等の外部装置から取得した新規または更新された映像データ等のコンテンツが未開封の場合に未確認のコンテンツを優先的に表示する新着コンテンツ優先表示モードとして画像を出力してもよい。
【００２６】
本実施の形態に係るＤＰＦによれば、設置場所が制約されないため所望の場所に設置し映像を鑑賞することができる。また、据え置き状態での鑑賞だけでなく、手持ち状態で映像を鑑賞することもでき使い勝手がよい。
【００２７】
なお、上述の実施の形態において、映像の出力態様について、表示輝度、色・階調、音声出力、表示態様、映像の出力制限を例に説明したが、出力態様を異ならせる場合にはこれらの出力態様のうち少なくとも１つを異ならせる構成であればよい。
【００２８】
また、上述の実施の形態において、メモリカードスロットに挿入されたメモリカードまたは内部メモリから映像データ等を読み出す構成としたが、ＵＳＢスロットに接続されたＵＳＢ機器から映像データ等を読み出す構成としてもよい。
【００２９】
また、上述の実施の形態において、一定時間以上操作されなかった場合に電源制御部４４から供給される電源量を減少させる待機状態とする構成としてもよい。この場合には、電力消費を抑えることができ、手持ち状態においてはバッテリを長持ちさせることができる。
【００３０】
また、上述の実施の形態において、接続検出部４６により横位置接点２０及び縦位置接点２２を介して筐体４がクレードル６に載置されているか、クレードル６から外されているかを検出する構成としたが、電源制御部４４を介して電源が供給されているか否かを判定することにより筐体４がクレードル６に載置されているか、クレードル６から外されているかを検出する構成としてもよい。
【００３１】
次に、図面を参照して本発明の第２の実施の形態に係るデジタルフォトフレームについて説明する。この第２の実施の形態に係るＤＰＦは、第１の実施の形態に係るＤＰＦの支持部材の構成を変更したものである。従って、第１の実施の形態と同一の構成についての詳細な説明は省略し、異なる部分のみについて詳細に説明する。また、第１の実施の形態と同一の構成には同一の符号を付して説明する。
【００３２】
図４は、第２の実施の形態に係るＤＰＦの背面を示す図である。ＤＰＦ５８は筐体６０を備え、筐体６０の背面にはクレードル６８の接点７０を介して電源の供給を受ける接点６２、開状態において筐体６０を支持する支持部材６４が開閉可能に設けられている。また、支持部材６４は例えば折り畳むことにより閉状態となり凹部６６に収納可能に構成されている。
【００３３】
ここで図４に示すようにＤＰＦ５８がクレードル６８に接続されている状態を第１状態とし、ＤＰＦ５８がクレードル６８から外され支持部材６４が閉状態である場合を第２状態とし、支持部材６４が開状態である場合には第３状態とする。第１状態及び第３状態においては机等の載置面に設置した据え置き状態でＬＣＤ表示部８に表示された画像を鑑賞することができる。また、第２状態においては鑑賞者がＤＰＦ５８を手に持って鑑賞を行う（手持ち状態）。従って、第１状態及び第３状態である場合には表示制御部３６及び再生制御部３８は据え置き状態に対応した出力制御を行い、第２状態である場合には手持ち状態に対応した出力制御を行う。
【００３４】
本実施の形態において接続検出部４６はＤＰＦ５８がクレードル６８に接続されているか、クレードル６８から外されているかを検出し、開閉検出部４７は支持部材６６の開閉状態を凹部６４に設けられたスイッチまたはセンサ等により検出する。従って、上述の第１の実施の形態と同様に接続検出部４６により検出するクレードルとの接続または非接続及び開閉検出部４７により検出する支持部材６４の開閉状態に応じて第１状態〜第３状態のいずれかであることを検出する。なお、第１状態の判定においては、接続検出部４６によるクレードル６８との接続の他に開閉検出部４７により支持部材６６が開状態であることを検出したときのみ第１状態と判定するようにしてもよい。
【００３５】
据え置き状態及び手持ち状態のそれぞれにおいて表示制御部３６及び再生制御部３８は上述の第１の実施の形態と同様に映像の出力態様として例えば表示態様、表示輝度、色・階調、音声出力、出力制限を異ならせることにより、据え置き状態及び手持ち状態に対応した出力制御を行う。
【符号の説明】
【００３６】
２…ＤＰＦ、４…筐体、６…クレードル、８…ＬＣＤ表示部、１０…スピーカ、１６…操作キー、２０…横姿勢接点、２２…縦姿勢接点、２８…接点、３３…支持部材、３５…凹部、３６…表示制御部、３８…再生制御部、４６…接続検出部、４７…開閉検出部。
【図１】
2010243724.tif 000003
【図２】
2010243724.tif 000004
【図３】
2010243724.tif 000005
【図４】
2010243724.tif 000006